(57)【要約】内燃機関（２７）は、シリンダー（５８）に収容されてシリンダー軸線Ｃに沿って往復運動するピストン（５７）と、ピストン（５７）に接続されたコンロッド（６１）と、コンロッド（６１）に接続されたクランクシャフト（６２）と、クランクシャフト（６２）と一体に回転する被検知体（６３）と、被検知体（６３）の軌道に向き合わせられて、被検知体（６３）の動きに応じてパルス信号を生成する検知センサー（６４）とを備える。検知センサー（６４）の軸線（６４ａ）は、シリンダー軸線Ｃに直交する仮想平面（６５）に対して、クランクシャフト（６２）の回転軸線（３３）回りで±４５度の範囲に位置する。これにより、クランク角の検出にあたってピストンの往復運動の影響を受けにくい検知センサーのレイアウトを実現する内燃機関を提供することができる。
2018180560.tif 000002
【特許請求の範囲】
【請求項１】
シリンダー（５８）に収容されてシリンダー軸線（Ｃ）に沿って往復運動するピストン（５７）と、
前記ピストン（５７）に接続されたコンロッド（６１）と、
前記コンロッド（６１）に接続されたクランクシャフト（６２）と、
前記クランクシャフト（６２）と一体に回転する被検知体（６３）と、
前記被検知体（６３）の軌道に向き合わせられて、前記被検知体（６３）の動きに応じてパルス信号を生成する検知センサー（６４）と、を備える内燃機関（２７）において、
前記検知センサー（６４）の軸線（６４ａ）は、前記シリンダー軸線（Ｃ）に直交する仮想平面（６５）に対して、前記クランクシャフト（６２）の回転軸線（３３）回りで±４５度の範囲に位置する
ことを特徴とする内燃機関。
【請求項２】
請求項１に記載の内燃機関において、
前記クランクシャフト（６２）を収容し、前記回転軸線（３３）回りで回転自在に前記クランクシャフト（６２）を支持するクランクケース（３４）をさらに備え、
前記検知センサー（６４）の前記軸線（６４ａ）は、前記クランクシャフト（６２）の前記回転軸線（３３）を指向し、前記回転軸線（３３）および重力加速度方向を含む仮想平面（６６）から前記回転軸線（３３）回りで傾く
ことを特徴とする内燃機関。
【請求項３】
請求項２に記載の内燃機関において、
前記クランクケース（３４）に形成されて、後輪（ＷＲ）の前方で車体フレーム（１２）に連結されるリンク部（５４）をさらに備え、
前記検知センサー（６４）は、前記リンク部（５４）の後方であって前記後輪（ＷＲ）の前方に配置される
ことを特徴とする燃機関。
【請求項４】
請求項３に記載の内燃機関において、前記後輪（ＷＲ）の車軸（２９）に直交する前記後輪（ＷＲ）の中央面（６７）に対して、前記検知センサー（６４）は車幅方向にオフセットして配置される
ことを特徴とする内燃機関。
【請求項５】
請求項３または４に記載の内燃機関において、
前記検知センサー（６４）は、吸気管（４２）に接続されるエアクリーナー（４４）に形成されて前記後輪（ＷＲ）の上方を覆うフェンダー部（４４ａ）の下方に位置する
ことを特徴とする内燃機関。
【請求項６】
請求項２〜５のいずれか１項に記載の内燃機関において、
前記検知センサー（６４）は、側面視で、前記クランクケース（３４）に結合されて前記クランクシャフト（６２）の一端に結合される冷却ファン（７１）を覆うファンカバー（６８）と重なる
ことを特徴とする内燃機関。
【発明の詳細な説明】
【技術分野】
【０００１】
本発明は、シリンダーに収容されてシリンダー軸線に沿って往復運動するピストンと、ピストンに接続されたコンロッドと、コンロッドに接続されたクランクシャフトと、クランクシャフトと一体に回転する被検知体と、被検知体の軌道に向き合わせられて、被検知体の動きに応じてパルス信号を生成する検知センサーとを備える内燃機関に関する。
【背景技術】
【０００２】
特許文献１は内燃機関の制御装置を開示する。内燃機関は単気筒に構成される。制御装置は単気筒の内燃機関でオーバーリーン空燃比に起因する失火を検知する。制御装置では、前後の燃焼サイクルの間でクランクシャフトの角速度の変化量が予め決められた閾値を超えるか否かが判断される。予め設定されたサイクル数の間で、変化量が閾値を超えた回数が規定の回数に達すると、制御装置は内燃機関の失火を推測する。【０００３】
特許文献２は、失火の判定にあたって、内燃機関のクランクシャフトに取り付けられるリングギア（被検知体）を開示する。リングギアの外周面には渦電流式の微小変位センサー（検知センサー）の先端が対向する。微小変位センサーはクランク角を検出する。内燃機関のクランク室と微小変位センサーとの位置関係は開示されない。
【先行技術文献】
【特許文献】
【０００４】
【特許文献１】日本特開２０１４−１９９０４０号公報
【特許文献２】日本特開２００２−３７１９０６号公報
【発明の概要】
【発明が解決しようとする課題】
【０００５】
ピストン運動に起因して内燃機関は振動する。特に単気筒の内燃機関ではシリンダー軸線に沿って振動の振幅が大きい。したがって、検知センサーは、シリンダー軸線に沿ってピストンの往復運動の影響を受けにくいレイアウトに配置される必要がある。【０００６】
本発明は、上記実状に鑑みてなされたもので、クランク角の検出にあたってピストンの往復運動の影響を受けにくい検知センサーのレイアウトを実現する内燃機関を提供することを目的とする。
【課題を解決するための手段】
【０００７】
本発明の第１側面によれば、シリンダーに収容されてシリンダー軸線に沿って往復運動するピストンと、前記ピストンに接続されたコンロッドと、前記コンロッドに接続されたクランクシャフトと、前記クランクシャフトと一体に回転する被検知体と、前記被検知体の軌道に向き合わせられて、前記被検知体の動きに応じてパルス信号を生成する検知センサーと、を備える内燃機関において、前記検知センサーの軸線は、前記シリンダー軸線に直交する仮想平面に対して、前記クランクシャフトの回転軸線回りで±４５度の範囲に位置する内燃機関が提供される。【０００８】
第２側面によれば、第１側面の構成に加えて、内燃機関は、前記クランクシャフトを収容し、前記回転軸線回りで回転自在に前記クランクシャフトを支持するクランクケースをさらに備え、前記検知センサーの前記軸線は、前記クランクシャフトの前記回転軸線を指向し、前記回転軸線および重力加速度方向を含む仮想平面から前記回転軸線回りで傾く。【０００９】
第３側面によれば、第２側面の構成に加えて、内燃機関は、前記クランクケースに形成されて、後輪の前方で車体フレームに連結されるリンク部をさらに備え、前記検知センサーは、前記リンク部の後方であって前記後輪の前方に配置される。【００１０】
第４側面によれば、第３側面の構成に加えて、前記後輪の車軸に直交する前記後輪の中央面に対して、前記検知センサーは車幅方向にオフセットして配置される。【００１１】
第５側面によれば、第３または第４側面の構成に加えて、前記検知センサーは、吸気管に接続されるエアクリーナーに形成されて前記後輪の上方を覆うフェンダー部の下方に位置する。【００１２】
第６側面によれば、第２〜第５側面のいずれかの構成に加えて、前記検知センサーは、側面視で、前記クランクケースに結合されて前記クランクシャフトの一端に結合される冷却ファンを覆うファンカバーと重なる。
【発明の効果】
【００１３】
第１側面によれば、ピストンの往復運動の影響を受けにくいレイアウトに検知センサーは配置されることができ、したがって、検知センサーは精度よく被検知体の動きを検出することができる。【００１４】
第２側面によれば、検知センサーは傾斜した姿勢で配置されるので、重力加速度方向に対して検知センサーの高さ方向の突出は抑制される。したがって、車両部品に干渉することなく検知センサーを配置することができる。【００１５】
第３側面によれば、検知センサーは内燃機関のリンク部と後輪との間に配置されるので、検知センサーに保護カバーを設けることなく、前方と後方とを車両部品で保護することができる。【００１６】
第４側面によれば、後輪の車幅方向中央を伝って跳ね上げられる水滴が検知センサーにかかりにくくすることができる。【００１７】
第５側面によれば、後輪とエアクリーナーのフェンダー部との間に形成されるスペースに効率的に検知センサーを配置することができる。また、エアクリーナーで上方から検知センサーを保護することができ、後輪から跳ね上げられた水滴などが検知センサーにかかりにくくすることができる。【００１８】
第６側面によれば、検知センサーは側方からファンカバーで覆われる構造となるため、検知センサーは側方から保護されることができる。加えて、側面視で視認されないため、外観を向上することができる。
【図面の簡単な説明】
【００１９】
【図１】図１はスクーター（自動二輪車）の全体構成を概略的に示す側面図である。
【図２】図２は反対側から観察される内燃機関の拡大垂直断面図である。
【図３】図３は上方から観察されるクランクケースの拡大平面図である。
【図４】図４はファンカバーを拡大した拡大部分側面図である。
【図５】図５はクランクシャフトの拡大断面図である。
【図６】図６は図３に対応し、他の実施形態に係るファンカバーおよびエアクリーナーの構成を概略的に示すスクーターの一部拡大平面図である。
【符号の説明】
【００２０】
１２…車体フレーム
２７…内燃機関
２９…車軸
３３…（クランクシャフトの）回転軸線
３４…クランクケース
４２…吸気管
４４…エアクリーナー
４４ａ…フェンダー部
５４…リンク部（突片）
５７…ピストン
５８…シリンダー
６１…コンロッド
６２…クランクシャフト
６３…被検知体（パルサーリング）
６４…検知センサー（パルサーセンサー）
６４ａ…軸線（検出軸線）
６５…（直交する）仮想平面
６６…（重力加速度方向を含む）仮想平面
６７…（後輪の）中央面
６８…ファンカバー
７１…冷却ファン
Ｃ…シリンダー軸線
ＷＲ…後輪
【発明を実施するための形態】
【００２１】
以下、添付図面を参照しつつ本発明の一実施形態を説明する。なお、以下の説明では、前後、左右および上下は自動二輪車の乗員から見た方向をいう。
【００２２】
図１は鞍乗り型車両（自動二輪車）の一具体例であるスクーター１１の全体構成を概略的に示す。スクーター１１は車体フレーム１２を備える。車体フレーム１２は、ヘッドパイプ１３と、ヘッドパイプ１３から下方に延びるダウンチューブ１４と、ダウンチューブ１４の下端から後方に延びる左右１対のサイドフレーム１５とで形成される。ヘッドパイプ１３にフロントフォーク１６および操向ハンドル１７が回転自在に支持される。フロントフォーク１６には車軸１８回りで回転自在に前輪ＷＦが支持される。
【００２３】
サイドフレーム１５は、ダウンチューブ１４の下端から下方に延びるダウンフレーム部１５ａと、ダウンフレーム部１５ａの後端から地面に平行に延びるロアフレーム部１５ｂと、ロアフレーム部１５ｂの後端から後上がりに延びて後輪ＷＲの上方に配置されるシートレール部１５ｃとを有する。シートレール部１５ｃ上には乗員シート１９が支持される。
【００２４】
スクーター１１は車体フレーム１２に被さる車体カバー２１を備える。車体カバー２１には、ヘッドパイプ１３と乗員シート１９との間でサイドフレーム１５のロアフレーム部１５ｂ上にフロアー２２が区画される。フロアー２２には、乗員シート１９に座った乗員が足を載せることができる。フロアー２２下でロアフレーム部１５ｂには燃料タンク２３が支持される。車体カバー２１内でシートレール部１５ｃには収納ボックス２４が支持される。収納ボックス２４は乗員シート１９で開閉される。
【００２５】
車体フレーム１２にはサイドフレーム１５の間でスイング式のパワーユニット２５がリンク機構２６を介して上下方向に揺動自在に支持される。パワーユニット２５は、燃料タンク２３から供給される燃料に基づき動力を発生する内燃機関２７と、内燃機関２７に接続されて、後輪ＷＲに線形に変化する変速比で内燃機関２７の動力を伝達する伝動装置２８とを備える。
【００２６】
パワーユニット２５の後端に車軸２９回りで回転自在に後輪ＷＲが支持される。パワーユニット２５の後端およびシートレール部１５ｃの後端の間にはリアクッションユニット３１が取り付けられる。パワーユニット２５は、車体フレーム１２に対してスイング自在に後輪ＷＲを連結するサスペンション装置の機能を担う。
【００２７】
内燃機関２７の機関本体３２は、回転軸線３３回りで回転自在に後述のクランクシャフトを収容するクランクケース３４と、クランクケース３４に結合されて、シリンダー軸線Ｃを前傾させたシリンダーブロック３５と、シリンダーブロック３５に結合されるシリンダーヘッド３６と、シリンダーヘッド３６に結合されるヘッドカバー３７とを備える。シリンダーヘッド３６には、燃焼室に混合気を導入する吸気系３８と、燃焼室から燃焼後の気体を排出する排気系３９とが接続される。伝動装置２８は、機関本体３２のクランクケース３４に一体化される変速機ケース４１に収容される無段変速機（図示されず）を備える。
【００２８】
吸気系３８は、シリンダーヘッド３６に形成される吸気路（図示されず）に接続される吸気管４２と、吸気管４２に結合されるスロットルボディ４３と、スロットルボディ４３に接続されるエアクリーナー４４とを備える。空気は、エアクリーナー４４から導入されて、エアクリーナー４４で濾過される。スロットルボディ４３で燃焼噴射弁から空気に燃料は噴射され、混合気が生成される。混合気は吸気管４２を経て吸気路に供給される。
【００２９】
リンク機構２６は、クランクケース３４の上方で車幅方向に左右に延びるクロスメンバー４５を備える。クロスメンバー４５は、両端で、左右のシートレール部１５ｃにそれぞれ固着されるブラケット４６に接続される。クロスメンバー４５は断面円形のパイプから構成される。
【００３０】
図２に示されるように、クロスメンバー４５の両端には取り付け部材４７が固定される。取り付け部材４７は、車軸２９の軸心に平行な回転軸線Ｘｒ回りで揺動自在にブラケット４６に連結される。取り付け部材４７には、ブラケット４６に固定の揺動軸４８を同軸に囲む円筒体４９が形成される。揺動軸４８と円筒体４９との間にはゴムといったダンパー部材５１が挟まれる。
【００３１】
クロスメンバー４５には車幅方向中央位置で車軸２９に平行に延びる線形域４５ａが形成される。線形域４５ａには、前下がりに傾斜する連結体５２が固定される。連結体５１は重力方向に下方にいくにつれて前方に変位する。
【００３２】
図４を併せて参照し、リンク機構２６は、クランクケース３４の上方に配置されて、車軸２９の軸心に平行な軸心を有する軸体５３を備える。軸体５３は、クランクケース３４の上部から上向きに突出する左右１対の突片（リンク部）５４に固定される。軸体５３に、連結体５２に固定される長筒５５が軸体５３の軸心回りに回転自在に連結される。
【００３３】
図２に示されるように、内燃機関２７は、シリンダーブロック３５に組み込まれるピストン５７を備える。ピストン５７は、前傾するシリンダー軸線Ｃを有してシリンダーブロック３５内に区画されるシリンダー５８に収容される。ここでは、シリンダーブロック３５には単一のピストン５７を受け入れる単一のシリンダー５８が形成される。ピストン５７とシリンダーヘッド３６との間に燃焼室４９が区画される。燃焼室４９には吸気路から混合気が導入される。ピストン５７はシリンダー軸線Ｃに沿って往復運動する。
【００３４】
ピストン５７にはコンロッド６１の一端が連結される。コンロッド６１の他端はクランクケース３４内のクランクシャフト６２に連結される。シリンダー軸線Ｃに沿ったピストン５７の線形運動はコンロッド６１の働きでクランクシャフト６２の回転運動に変換される。
【００３５】
内燃機関２７は、回転軸線３３に同軸にクランクシャフト６２に結合されて、クランクシャフト６２と一体に回転する環状板形状のパルサーリング（被検知体）６３と、パルサーリング６３の環状軌道に向き合わせられてパルサーリング６３の動きに応じてパルス信号を生成するパルサーセンサー（検知センサー）６４とを備える。パルサーリング６３は、回転軸線３３周りに環状に等間隔に配列される複数のリラクター（ギア歯）５３ａを備える。リラクター６３ａは例えば中心角１０度ごとに配置される。リラクター６３ａは例えば磁性体から構成される。
【００３６】
パルサーセンサー６４は、クランクケース３４に穿たれるセンサー孔３４ｃに外側から差し込まれてクランクケース３４に取り付けられる。センサー孔３４ｃは、クランクシャフト６２の回転軸線３３を含む１水平面よりも上方に位置する。パルサーセンサー６４は、磁性体を検知する先端でクランク室３４ｂに臨む。パルサーセンサー６４は、パルサーリング６３の軌道上で検出される磁性体の有無に応じて電気信号を出力する。パルサーセンサー６４は、クランクシャフト６２の角位置を特定するパルス信号を出力する。その他、パルサーセンサー６４には渦電流式の微小変位センサーが用いられてもよい。
【００３７】
パルサーセンサー６４では最も感度の高い検出軸線（軸線）６４ａは、シリンダー軸線Ｃに直交する仮想平面６５に対してクランクシャフト６２の回転軸線３３回りで±α（＝４５度）の範囲に位置する。ここでは、シリンダー軸線Ｃの前傾姿勢に応じて、パルサーセンサー６４は、車両の側面視で突片（リンク部）５４の後方であって後輪ＷＲの前方に配置される。パルサーセンサー６４は、エアクリーナー４４に形成されるフェンダー部４４ａの下方に位置する。フェンダー部４４ａの詳細は後述される。
【００３８】
加えて、パルサーセンサー６４は、地面ＧＤに直交する車両上下方向（重力加速度方向）に対して傾斜する姿勢で保持される。検出軸線６４ａは、クランクシャフト６２の回転軸線３３を指向し、回転軸線３３および重力加速度方向を含む仮想平面６６から回転軸線３３回りに傾き角βで傾く。
【００３９】
図３に示されるように、パルサーセンサー６４は、後輪ＷＲの車軸に直交する後輪ＷＲの中央面６７に対して車幅方向にオフセットして配置される。中央面６７は、例えば後輪ＷＲ（特にタイヤ）に対して左右対称の対称面を構成する。エアクリーナー４４のフェンダー部４４ａは、エアクリーナー４４の本体から車幅方向に延びて、シートレール部１５ｃの下方で後輪ＷＲの上方に位置する。後輪ＷＲは上方からエアクリーナー４４のフェンダー部４４ａで覆われる。
【００４０】
クランクケース３４にはファンカバー６８が結合される。図４に示されるように、ファンカバー６８はクランクケース３４にボルト６９で締結されればよい。ファンカバー６８は冷却ファン７１を覆う。クランクシャフト６２の一端に冷却ファン７１が結合される。
【００４１】
ファンカバー６８には後輪ＷＲの外径に沿ってエアクリーナー４４に向かって延びる連結部６８ａが形成される。連結部６８ａの先端でファンカバー６８はエアクリーナー４４に連結される。図４に示されるように、パルサーセンサー６４は側面視でファンカバー６８の連結部６８ａと重なる。パルサーセンサー６４は側方からファンカバー６８で覆われる。
【００４２】
図４に示されるように、冷却ファン７１は、クランクシャフト６２に取り付けられる回転体７２を備える。回転体７２は回転軸線３３に同心の円形の輪郭を有する。回転体７２の表面には複数の羽根７３が配置される。そうして冷却ファン７１は遠心ファンに構成される。
【００４３】
ファンカバー６８には回転軸線３３に同心の円形の開口７４が形成される。開口７４には可変ルーバー７５が設置される。可変ルーバー７５の働きで開口７４の開口面積は変化する。
【００４４】
図５に示されるように、クランクシャフト６２は、第１軸７７ａを有する円板形状の第１クランクウエブ７７と、第１クランクウエブ７７に結合されて、第２軸７８ａを有する円板形状の第２クランクウエブ７８と、第１軸７７ａおよび第２軸７８ａを同軸に配置しつつ第１クランクウエブ７７および第２クランクウエブ７８を相互に結合するクランクピン７９とを備える。クランクピン７９には、第１軸７７ａおよび第２軸７８ａの軸心に平行な回転軸線回りで回転自在にコンロッド６１の先端が連結される。
【００４５】
第１クランクウエブ７７の第１軸７７ａは第１軸受け８１を介して回転自在にクランクケース３４の第１半体８２に支持される。第２クランクウエブ７８の第２軸７８ａは第２軸受け８３を介して回転自在にクランクケース３４の第２半体８４に支持される。第１半体８２と第２半体８４とが結合されてクランクケース３４は構成される。
【００４６】
第１クランクウエブ７７の第１面８５ａには円形の外周に沿って第１軸７７ａの軸心に直交する仮想平面内で広がる平坦面８６が形成される。平坦面８６にはパルサーリング６３が重ねられる。パルサーリング６３のリラクター６３ａは少なくとも径方向外端で第１クランクウエブ７７の外周よりも径方向に突出する。パルサーリング６３はねじ８７で第１クランクウエブ７７に締結される。
【００４７】
ここでは、パルサーリング６３の内径は第１軸受け８１よりも大径を有する。第１軸７７ａは第１軸７７ａよりも大径の拡径部８８で第１クランクウエブ７７の第１面８５ａに接続される。拡径部８８に第１軸受け８１が装着される。第１軸受け８１は第１クランクウエブ７７の第１面８５ａに押し当てられる。したがって、パルサーリング６３は第１軸受け８１の径方向外側に配置される。
【００４８】
第２クランクウエブ７８は第１面８９ａの裏側の第２面８９ｂで第１クランクウエブ７７に向き合わせられる。第２軸７８ａは第２軸７８ａよりも大径の拡径部９１で第２クランクウエブ７８の第１面８９ａに接続される。拡径部９１に第２軸受け８３が装着される。第２軸受け８３は第２クランクウエブ７８の第１面８９ａに押し当てられる。
【００４９】
次に本実施形態に係る内燃機関２７の作用を説明する。内燃機関２７が動作し、クランクシャフト６２が回転すると、クランクシャフト６２と一体にパルサーリング６３は回転する。パルサーリング６３のリラクター６３ａは回転軸線３３に同軸の環状軌道に沿って回転軸線３３回りに移動する。パルサーセンサー６４は、リラクター６３ａと空間とに交互に向き合い、リラクター６３ａの磁性体を検出してパルス信号を生成する。リラクター６３ａは等間隔に配置されることから、角速度に対応してパルスの時間間隔は変動する。
【００５０】
本実施形態では、パルサーセンサー６４の検出軸線６４ａは、シリンダー軸線Ｃに直交する仮想平面６５に対して、クランクシャフト６２の回転軸線３３回りで±４５度の範囲に位置する。したがって、ピストン５７の往復運動時にパルサーセンサー６４の先端とパルサーリング６３のリラクター６３ａとの間隔は往復運動の影響を受けにくい。こうしてピストン５７の往復運動の影響を受けにくいレイアウトにパルサーセンサー６４は配置され、パルサーセンサー６４は精度よくパルサーリング６３の動きを検出することができる。
【００５１】
パルサーセンサー６４の検出軸線６４ａは、クランクシャフト６２の回転軸線３３を指向し、回転軸線３３および重力加速度方向を含む仮想平面６６から回転軸線３３回りで傾く。こうしてパルサーセンサー６４は傾斜した姿勢で配置されるので、重力加速度方向に対してパルサーセンサー６４の高さ方向の突出は抑制される。特に、パルサーセンサー６４はクランクケース３４の上側に配置されることから、車両部品に干渉することなくパルサーセンサー６４を配置することができる。しかも、パルサーセンサー６４は、リンク機構２６の下方に配置されるものの、前下がりの連結体５２に対応して、地面ＧＤに直交する車両上下方向（重量加速度方向）に対して傾斜することから、リンク機構２６とパルサーセンサー６４との干渉は回避されることができる。
【００５２】
パルサーセンサー６４は、クランクケース３４の突片５４の後方であって後輪ＷＲの前方に配置される。したがって、パルサーセンサー６４に保護カバーを設けることなく、前方と後方とを車両部品で保護することができる。車両部品がパルサーセンサー６４の保護部材を兼ねるので、製造コストの増大は回避されることができる。
【００５３】
パルサーセンサー６４は、後輪ＷＲの車軸２９に直交する後輪ＷＲの中央面６７に対して車幅方向にオフセットして配置される。雨天走行時など、路面の水は回転する後輪ＷＲの車幅方向中央を伝って跳ね上げられる。跳ね上げられた水滴はパルサーセンサー６４にはかからない。こうして水滴が検知センサーにかかりにくくすることができる。
【００５４】
本実施形態では、エアクリーナー４４に、後輪ＷＲを覆うフェンダー部４４ａが形成される。パルサーセンサー６４はフェンダー部４４ａの下方に位置する。後輪ＷＲとエアクリーナー４４のフェンダー部４４ａとの間に形成されるスペースに効率的にパルサーセンサー６４は配置される。また、エアクリーナー４４で上方からパルサーセンサー６４は保護される。後輪ＷＲから跳ね上げられた水滴などがパルサーセンサー６４にかかりにくくすることができる。
【００５５】
パルサーセンサー６４は、側面視で、クランクケース３４に結合されてクランクシャフト６２の一端に結合される冷却ファン７１を覆うファンカバー６８と重なる。パルサーセンサー６４は側方からファンカバー６８で覆われる構造となるため、パウルセンサー６４は側方から保護される。加えて、側面視で視認されないため、外観を向上することができる。
【００５６】
図６に示されるように、ファンカバー６８とエアクリーナー４４との連結にあたって、ファンカバー６８とエアクリーナー４４との間には橋架部材９２が配置されてもよい。この場合には、エアクリーナー４４からフェンダー部４４ａは省略されてもよい。ファンカバー６８、エアクリーナー４４および架橋部材９２はいずれも樹脂材料から成型されることから、パワーユニット２５が揺動した際に、ファンカバー６８およびエアクリーナー４４それぞれの振動は相互に低減されることができる。
【図１】
2018180560.tif 000003
【図２】
2018180560.tif 000004
【図３】
2018180560.tif 000005
【図４】
2018180560.tif 000006
【図５】
2018180560.tif 000007
【図６】
2018180560.tif 000008
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
シリンダー（５８）に収容されてシリンダー軸線（Ｃ）に沿って往復運動するピストン（５７）と、
前記ピストン（５７）に接続されたコンロッド（６１）と、
前記コンロッド（６１）に接続されたクランクシャフト（６２）と、
前記クランクシャフト（６２）と一体に回転する被検知体（６３）と、
前記被検知体（６３）の軌道に向き合わせられて、前記被検知体（６３）の動きに応じてパルス信号を生成する検知センサー（６４）と、を備える内燃機関（２７）において、
前記検知センサー（６４）の軸線（６４ａ）は、前記シリンダー軸線（Ｃ）に直交する仮想平面（６５）に対して、前記クランクシャフト（６２）の回転軸線（３３）回りで±４５度の範囲に位置し、
前記クランクシャフト（６２）を収容し、前記回転軸線（３３）回りで回転自在に前記クランクシャフト（６２）を支持するクランクケース（３４）をさらに備え、
前記検知センサー（６４）の前記軸線（６４ａ）は、前記クランクシャフト（６２）の前記回転軸線（３３）を指向し、前記回転軸線（３３）および重力加速度方向を含む仮想平面（６６）から前記回転軸線（３３）回りで傾き、
前記クランクケース（３４）に形成されて、後輪（ＷＲ）の前方で車体フレーム（１２）に連結されるリンク部（５４）をさらに備え、
前記検知センサー（６４）は、前記リンク部（５４）の後方であって前記後輪（ＷＲ）の前方に配置される
ことを特徴とする内燃機関。
【請求項２】
（削除）
【請求項３】
（削除）
【請求項４】
請求項１に記載の内燃機関において、前記後輪（ＷＲ）の車軸（２９）に直交する前記後輪（ＷＲ）の中央面（６７）に対して、前記検知センサー（６４）は車幅方向にオフセットして配置される
ことを特徴とする内燃機関。
【請求項５】
請求項１または４に記載の内燃機関において、
前記検知センサー（６４）は、吸気管（４２）に接続されるエアクリーナー（４４）に形成されて前記後輪（ＷＲ）の上方を覆うフェンダー部（４４ａ）の下方に位置する
ことを特徴とする内燃機関。
【請求項６】
請求項１、４、５のいずれか１項に記載の内燃機関において、
前記検知センサー（６４）は、側面視で、前記クランクケース（３４）に結合されて前記クランクシャフト（６２）の一端に結合される冷却ファン（７１）を覆うファンカバー（６８）と重なる
ことを特徴とする内燃機関。
【国際調査報告】
2018180560.tif 000009
2018180560.tif 000010
2018180560.tif 000011